(57)【特許請求の範囲】
【請求項１】
ドア１に取付けられた錠２と、この錠に組込まれた動力伝達部材７と、前記ドア１の内壁面１ａに固定されたユニット基体１２内に組み込まれかつ前記動力伝達部材７の駆動力によって回転する回転体１１と、一端部の被係合部２２が前記回転体１１の係合部に係合すると共に、他端部の係合部２４が押しバネ２７のバネ力によって前記ユニット基体１２に軸支された係合アーム３１の外拡基部３２の被係合部３３と係合しているシーソー片２１と、前記係合アーム３１と係合する戸枠３側の係止杆６とから構成されるドアガードの係合解除機構であって、前記係合アームの外拡基端部に該係合アームが前記戸枠３側の係止杆６から離れる方向へ常時付勢する付勢バネ４１を組込み、閉戸時に前記動力伝達部材７の駆動力を介して前記シーソー片２１の前記係合部２４が前記押しバネ２７のバネに抗して前記被係合部から離れた場合に、前記ドアを完全に開くことができるように、前記係合アームは、前記付勢バネ４１のバネ力によって前記戸枠３側の係止杆６から自動的に解放され、ドアの内壁面側に回転することを特徴とするドアガードの係合解除機構。
【請求項２】
請求項１に於いて、回転体１１は、少なくとも１個以上の第１係合部１７を有する嵌合大径部１４と、この嵌合大径部１４に連設する小径部１５とから成り、ドアガードユニットＹを構成するユニット基体１２に回動自在に設けられていることを特徴とするドアガードの係合解除機構。
【請求項３】
請求項１に於いて、ユニット基体１２の内壁面側１２ａには、回転体１１用の嵌合部、シーソー片用収納部４７、シーソー片に形成した突起状第２係合部２４が入り込む貫通孔４９がそれぞれ形成され、一方、ユニット基体１２の外壁面側１２ｂには、係合アーム３１の外拡基端部３２が支軸５１を介して軸支されていることを特徴とするドアガードの係合解除機構。
【請求項４】
請求項１に於いて、係合アーム３１の外拡基端部３２に軸受け部３７が形成され、かつ、該軸受け部３７の外壁面に形成されたバネ収納凹所３９内に付勢バネ４１が組込まれていることを特徴とするドアガードの係合解除機構。
【発明の詳細な説明】
【０００１】
【発明の属する技術分野】
本発明は、ドアの開放度合を小さく制限し、安全に来訪者の確認、宅配便の受け渡し等を行えるドアガードの係合解除機に関する。
【０００２】
【従来の技術】
ドアガードに関する従来技術の一例としては、特開平６−１９５４２９号が存在する。この公報に記載された「発明の課題」を見ると、室内にいる人が用心具を施錠（係止可能）状態にし、例えば就寝した場合には、外出先から戻って来た人（例えば主人）が、たとえ鍵によってデッドボルトを備えた錠前を解錠しても、補助錠としての用心具が作動可能な状態のため、就寝した人（例えば女房）を起さない限り、室内に入ることができない、という問題点を指摘している。このような問題点は、例えば一人暮しの老人が、用心具を施錠（係止可能）状態にして倒れた緊急事態が発生の場合にも同様のことが言える。
【０００３】
そこで、前記公報に記載の一実施例は、扉の外壁面側にドアガード専用のシリンダ錠を固定するシリンダ取付け座を取り付け、一方、扉の内壁面に前記シリンダ錠に連結螺杆を介してアーム取付け台座を取り付け、このアーム取付け台座内には、シリンダ錠に内装した内筒体に設けた連結板（動力伝達部材）と嵌合する軸部を有する回動体を内装し、さらに、アーム取り付け台座に係合アームを備えたアーム軸受を固定し、前記係合アームは、シリンダ錠に差込まれた合鍵の操作によって回転する連結板を介して係合杆から離れるように回転するような構成である。
【０００４】
しかしながら、前記構成に於いては、次に列挙するような欠点があった。
（ａ）用心具を構成する部材が非常に多い。つまり、構成が複雑である。したがって、コスト高であると共に、組合わせ乃至取付けが面倒である。
（ｂ）シリンダ錠に差込んだ合鍵を操作しながら係合アームを係合杆から離さなければならない。したがって、係合アームを係合杆から解放する解除操作が面倒である。
（ｃ）係合アームの形態を普通一般に使用されているタイプではなく、特異な形状に加工する必要がある。
（ｄ）その他戸枠側の受け部材を構成する係止杆（受杆）の取り付け位置や形状なども色々と工夫をしなければ成らない。
【０００５】
【発明が解決しようとする課題】
本発明は、従来の一実施例の有する問題点に鑑み、簡単な機構と合理的手段により、閉扉状態に於いて、ドアの外壁面側から錠を駆動させると、室内側に係止杆に対して作動可能状態にある係合アームが、係止杆から自動的に離れるようにすることを目的とする。これにより、例えば就寝した人を起さないで室内に入ることができる、一人暮しの老人が、用心具を係止可能状態にして倒れた場合でも、外から錠の駆動が可能であれば、室内に入ることができる。
【０００６】
【課題を解決するための手段】
本発明のドアガードの係合解除機構は、ドア１に取付けられた錠２と、この錠に組込まれた動力伝達部材７と、前記ドア１の内壁面１ａに固定されたユニット基体１２内に組み込まれかつ前記動力伝達部材７の駆動力によって回転する回転体１１と、一端部の被係合部２２が前記回転体１１の係合部に係合すると共に、他端部の係合部２４が押しバネ２７のバネ力によって前記ユニット基体１２に軸支された係合アーム３１の外拡基部３２の被係合部３３と係合しているシーソー片２１と、前記係合アーム３１と係合する戸枠３側の係止杆６とから構成されるドアガードの係合解除機構であって、前記係合アームの外拡基端部に該係合アームが前記戸枠３側の係止杆６から離れる方向へ常時付勢する付勢バネ４１を組込み、閉戸時に前記動力伝達部材７の駆動力を介して前記シーソー片２１の前記係合部２４が前記押しバネ２７のバネに抗して前記被係合部から離れた場合に、前記ドアを完全に開くことができるように、前記係合アームは、前記付勢バネ４１のバネ力によって前記戸枠３側の係止杆６から自動的に解放され、ドアの内壁面側に回転することを特徴とする。
【０００７】
付言すると、本発明の要旨は、ドアガード解除用の錠を外から駆動させると、ユニット基体内に組み込まれたシーソー片が押しバネのバネ力に抗して係合アームの被係合部から離れ、それと同時にユニット基体に軸支した係合アームが付勢バネのバネ力により、自動的に受け部材の係止杆から離れることである。したがって、本発明のドアガードの係合解除機構は、ドア１に取付けられた錠と、この錠に組込まれた動力伝達部材７と、ドア１の内壁面１ａに固定されたユニット基体１２内に組み込まれかつ前記動力伝達部材７の駆動によって揺動するシーソー片２１と、前記係合アーム３１と係合する戸枠３側の係止杆６とから構成され、閉戸時に前記動力伝達部材７の駆動を介してシーソー片２１が押しバネ２７のバネ力に抗して係合解除方向への揺動した場合に、ドアを完全に開くことができるように、係合アーム３１は、付勢バネ４１のバネ力によって戸枠３側の係止杆６から自動的に解放回転する。
【０００８】
また、錠２は、シリンダ錠に差込まれた合鍵８によって回転する動力伝達部材７を備え、一方、ドア１の内壁面１ａに固定されたユニット基体１２内には、動力伝達部材７の作動により回転する回転体１１が組込まれている。
【０００９】
さらに、回転体１１は、少なくとも１個以上の第１係合部１７を有する嵌合大径部１４と、この嵌合大径部１４に連設する小径部１５とから成り、ドアガードユニットＹを構成するユニット基体１２と、このユニット基体１２の内壁面側１２ａに形成された嵌合凹所４４に固定的に嵌め込まれかつ前記小径部１５が突出する窓孔１８を有する蓋体１３とに回動自在に設けられている。
【００１０】
また上記構成に於いて、ユニット基体１２の内壁面側１２ａには、回転体１１用の嵌合部、シーソー片用収納部４７、シーソー片に形成した突起状第２係合部２４が入り込む貫通孔４９がそれぞれ形成され、一方、ユニット基体１２の外壁面側１２ｂには、係合アーム３１の外拡基端部３２が支軸５１を介して軸支されていることを特徴とする。加えて、係合アーム３１の外拡基端部３２に軸受け部３７が形成され、かつ、該軸受け部３７の外壁面に形成されたバネ収納凹所３９内に付勢バネ４１が組込まれている。
【００１１】
ここで、「ユニット基体」とは、ドアに取付けられ、かつ、動力伝達部材を備える錠に対し、ドアガードの係合解除機構に必要な各部材が必要に応じて組み合わせられており、かつ、ドアの内壁面に蓋体と共に取付けられる取付け本体を言う。
【００１２】
【発明の実施の形態】
図１乃至図１５により本発明の実施形態の一実施例を説明する。まず図１及び図２は、発明の実施の環境を示している。１は外方向へ開く普通一般のドアで、このドア１の開放側端部にはシリンダ錠２が取付けられている。一方、３は戸枠側で、この戸枠側３の内壁面には受け部材４が取付けられている。受け部材４は、公知のように係合頭部５を有する係止杆６を備えている。
【００１３】
さて、本発明のドアガードの係合解除機構Ｘは、前記シリンダ錠２の動力伝達部材７との関係で、図示しない固着具、ねじ孔、取付け座板などを介し、ドア１の内壁面１ａに固定されるドアガードユニットＹ（図３参照）の各構成部材から構成されている。したがって、本明細書では「主要部材」を列挙しながら説明する。なお、ねじ孔、固着具など発明の特定要件でない箇所（細部）は極力省略する。また、普通一般の公知の形状に関する詳細な説明も省略する。
【００１４】
（１）シリンダ錠……シリンダ錠２は、本実施例ではドアガード用に採用されたものである。シリンダ錠２は合鍵によって左右に回転する動力伝達部材７を有している。動力伝達部材７は、例えばシリンダ錠２に差込まれた合鍵８によって左右いずれの方向にも回転する内筒体９と、この内筒体９の後端部に水平方向に突設されたバー状連結杆或いは連設片１０とから成る。
【００１５】
（２）回転体……回転体１１は、ドアガードユニットＹを構成する取付け面弾丸形状のユニット基体１２と任意形状の蓋体１３に回動自在に設けられている。図４乃至図６は回転体１１の具体的な構成を示す。この回転体１１は、嵌合大径部１４と、この嵌合大径部１４に連設する小径部１５とを有し、小径部１５には動力伝達部材７のバー状連設片１０が嵌入する嵌合孔１６が形成されている。しかして、前記嵌合大径部１４の外周壁の適宜箇所には、例えば１８０度おいた部位に合計２個の突起状第１係合部１７が形成されている。この第１係合部１７の下面側１７ａは、図６で示すように半円弧状或いは山形状に形成されている。したがって、下面側１７ａは、回転体１１の左右回転方向にその頂点部を境にしてそれぞれテーパ面を有する。
【００１６】
回転体１１は蓋体１３の円形状窓孔１８から小径部１５が貫通し、かつ、嵌合孔１６にバー状連設片１０が嵌入しているから、例えば合鍵８の操作によって動力伝達部材７が回転すると、所定位置にて所要量同方向へと回転する。
【００１７】
（３）シーソー片……シーソー片２１は、正面図である図７を基準にすると、長板状水平部２１ａと、この水平部２１ａの左端部に交差状態に連設する長板状垂直部２１ｂとから成り、全体としてＴ字型状に形成されている。
【００１８】
シーソー片２１の水平部２１ａの右端部には、回転体１１の第１係合部１７と摺接状態で係脱する第１被係合部２２が形成されている。この第１被係合部２２は、図９で示すように山形状に形成されている。したがって、下面側１７ａにテーパ面を有する第１係合部１７と、上面側２２ａにテーパ面を有する第１被係合部２２は、摺接する際にはテーパ面１７ａ，２２ａ同志で接触し合う。
【００１９】
一方、シーソー片２１の水平部２１ａの左端部には、前述したように長板状垂直部２１ｂが交差状態に連設している。しかして、この垂直部２１ｂの上面には、複数個、本実施例では計３個のバネ支持穴２３が所定間隔で形成されている。また垂直部２１ｂの下面側の上下端部（シーソー片２１の他端部に相当）には、係合アーム３１の外拡基端部３２に形成した第２被係合部３３と係脱する山形突起状の第２係合部２４が形成されている。
【００２０】
シーソー片２１の形状についてさらに詳しく説明すると、２５は水平部２１ａの中央部に突出形成された上下一対の短軸である。シーソー片２１は短軸２５を支点に揺動する。図８を基準にすると、シーソー片２１は短軸２５の部位から他端部に至るまでやや傾斜状に形成されていると共に、前記突起状第２係合部２４の下面側は「Ｖ字型」を成している。つまり、第２係合部２４は、係合アーム３１の第２被係合部３３が「Ｖ溝」であることに対応して山形状突起となっている。
【００２１】
（４）押しバネ……この押しバネ２７には、コイルばねが使用されている。押しバネ２７は合計３個であり、これらの押しバネ２７の一端部はバネ支持穴２３にそれぞれ組込まれ、一方、その他端部は蓋体１３に形成したカバー状のバネ収納部２８内に適宜に支持される。押しバネ２７は、閉戸時に合鍵の操作により回転する回転体１１を介してシーソー片２１が係合解除方向へ揺動した場合に収縮する。つまり、シーソー片２１の第２係合部２４が係合アーム３１の第２被係合部３３から離れた場合に収縮する。
【００２２】
（５）係合アーム……係合アーム３１は、図１２及び図１３で示すように普通一般に使用されている形態を成している。すなわち、外拡基端部３２には、係止杆６の係合頭部５から抜けることができる幅広挿抜空間部３４が形成され、また外拡基端部３２に連設するＵ字型状長杆規制部３５には、前記係止杆６を案内する係合孔３６が形成されている。
【００２３】
しかして、外拡基端部３２には円盤状軸受け部３７が形成され、該軸受け部３７の外周壁にはシーソー片２１の第２係合部２４が係脱する第２被係合部３３が形成されている。この第２被係合部３３は、本実施例ではＶ型溝である。第２被係合部３３は、図１３で示すように９０度設けて合計２個形成されている。また軸受け部３７の外壁面には軸孔３８を中心に付勢バネ４１用の収納凹所３９が形成されている。そして、収納凹所３９を形成する内壁面の適宜部位には、前記付勢バネ４１の一端部を受け入れるバネ端部用切欠部４０が形成されている。
【００２４】
（６）付勢バネ……付勢バネ４１は、外拡基端部３２の軸受け部３７の収納凹所３９に組込まれ、前述したようにシーソー片２１が押しバネ２７のバネ力に抗して係合解除方向への揺動した場合に、係合アーム３１が戸枠３の係止杆６から離れるように常時付勢している。付勢バネ４１の一端部は、軸受け部３７のバネ端部用切欠部４０内に支持され、一方、他端部はユニット基体１２の外壁部の適宜箇所に圧接している。なお、前記軸受け部には、付勢バネの端部が内外に変位可能なように付勢バネ４１他端部用の逃がし部がある。
【００２５】
（７）ユニット基体……図１０及び図１１を参照にユニット基体１２を説明する。１２ａはドア１の内壁面１ａと対向する内壁面側、一方、１２ｂは回転した係合アーム３１と対向する外壁面側とする。ユニット基体の内壁面１２ａには弾丸形状の突壁４３が周設されている。そして、この突壁４３内に蓋体１３が嵌め込まれ、かつ、図示しない固着具を介して蓋体１３がユニット基体１２の内壁面側１２ａに固定される。
【００２６】
しかして、４４は蓋体１３用嵌合凹所で、この嵌合凹所４４は蓋体１３の支持面４４ａを有する。４５は該嵌合凹所４４に連通する円形状嵌合部で、この円形状嵌合部４５は、回転体の第１係合部１７を案内する逆Ｃ字型状のガイド面４５ａを有している。４６は円形状嵌合部４５の下方にさらに連通する回転体用嵌合部で、この回転体用嵌合部４６内に回転体の嵌合大径部１４が嵌め込まれる。したがって、本実施例では、大径の円形状嵌合部４５及び小径の回転体用嵌合部４６は、共に回転体用の嵌合部である。
【００２７】
４７はＴ字型のシーソー片２１用収納部で、このシーソー片用収納部４７は前記回転体用嵌合部４５，４６並びに蓋体用嵌合凹所４４に連通している。このシーソー片用収納部４７を形成している対向側壁の中央部には、シーソー片の短軸２５がそれぞれ嵌合する小切欠部４８が設けられている。またユニット基体１２の他端部（図１０では左端部）には、シーソー片の突起状第２係合部２４が入り込む貫通孔４９が適宜に形成されている。さらに、ユニット基体の外壁面１２ｂの他端部には、係合アーム３１の軸受け部３７の外壁面（付勢バネ側）と対向する支持部５０が半円形状に突設され、該支持部５０には支軸５１用の中心孔５２が形成されている。
【００２８】
（８）蓋体……蓋体１２はユニット基体１２の嵌合凹所４４内に嵌め込まれる薄い金属板である。蓋体１２の形態については特に拘らないが、前述したように回転体１１用の窓孔１８、押しバネ２７をカバーするバネ収納部２８を有する。なお、蓋体１２の四隅には固着具用の貫通孔が形成されているが、細部的事項なので省略してある。
【００２９】
以上が本発明の主要部材である。次に主要部材の組合わせについて説明する。前述したように本発明のドアガードユニットＹ（図３参照）は、ドア１の外壁面１ｂからキー穴が見えるシリンダ錠２に対してドア１の内壁面１ａに固着具を介して固定される。そして、ドアガードユニットＹに組込まれた回転体１１やシーソー片２１、ユニット基体１２に支軸５１を介して軸支された係合アーム３１等が、錠の一例としてのシリンダ錠２の動力伝達部材７との関係でドアガードの係合解除機構Ｘを構成する。
【００３０】
さて、図１０及び図１１は、ユニット基体１２に各部材が組込まれていない状態であるが、主要部材の組合わせの際には、まずシーソー片２１を組込む。この場合シーソー片２１の短軸２５をユニット基体１２の小切欠部４８に嵌め込むようにする。次に回転体１１をユニット基体１２の回転体用嵌合部４６に嵌め込む。この場合回転体１１の突起状第１係合部１７が円形状嵌合部４５に嵌合する。次に押しバネ２７の一端部をシーソー片２１のバネ支持穴２３に嵌め込む。そして、蓋体１３をユニット基体１２に嵌め込み、図示しない固着具で蓋体１３をユニット基体１２に固定する。この場合主要部材は蓋体１３に支持される。例えば押しバネ２７の他端部は蓋体１３のバネ収納部２８に収納され、また回転体１１は、小径部１５が図２で示すように窓孔１８から突出した状態で蓋体１３に支持される。
【００３１】
次にドアガードの係合解除機構Ｘの作用について説明する。図２で示すように係合アーム３１が付勢バネ４１のバネ力により戸枠３の内壁面に沿って位置している時は、係合アーム３１は受け部材４の係止杆６に対して係合可能な状態にある。すなわち、ドア１を開くと、係合アーム３１は係止杆６に案内され、かつ、係合頭部５の存在により、係止杆６が直ちに作動（係止）可能な状態になる。
【００３２】
図２ではシリンダ錠２の動力伝達部材７が施錠状態の位置にあるので、シーソー片２１は押しバネ２７のバネ力により係合アーム３１の軸受け部３７側に押され、その結果、シーソー片２１の山形突起状第２係合部２４が係合アーム３１のＶ型溝の第２被係合部３３に係合している。
【００３３】
上記のようにドア１が閉戸状態かつ係合アーム３１が作動位置にてシーソー片２１に係止された状態に於いて、今仮に帰宅した主人がシリンダ錠２に合鍵８を差込み、左右いずれかの方向へと回転したとする。そこで回転体１１が回転シーソーの突起状第１係合部１７がシーソー片用収納部４７に至ると、該突起状第１係合部１７がシーソー片２１の山形状第１被係合部２２を押し付けるように摺接する。この時シーソー片２１は短軸２５を支点に押しバネ２７のバネ力に抗して揺動する（いわば浮き上がる）。
【００３４】
しかして、シーソー片２１の他端部が浮き上がると、シーソー片２１の第２係合部２４は係合アム３１の第２被係合部３３から離れるので、図１４で示すように係合アーム３１は付勢バネ４１のバネ力によりドア１の内壁面１ａ側に略９０度水平回転する。これにより係合アーム３１は係止杆６から解放される。
【００３５】
【実施例】
（Ａ）シリンダ錠の異なる実施例……シリンダ錠２は、本実施例ではドアガード用に採用された補助的な錠である。したがって、本実施例のシリンダ錠２は合鍵８によって左右に回転する動力伝達部材７を有しているが、シリンダ錠２そのものを、例えば文字合わせと称されるダイヤル錠、マグネットタンブラーを備えるマグネツト錠に設計変更した場合には、当然、動力伝達部材７に作動状態も異なる。例えばシリンダ錠２内にマグネットキーの磁性体の極性によって反発する動力伝達部材７を駆動可能に設けた場合やダイヤル錠の第１回転体を暗証番号に基づいて左右に回転すると動力伝達部材７が駆動可能な場合には、合鍵８によって左右いずれの方向にも回転する内筒体９並びにバー状連設片１０が不要となる。特に後者のダイヤル錠の場合には合鍵８そのものも不要となる。
【００３６】
したがって、付勢バネ４１を備えた係合アーム３１用補助錠（シリンダ錠も含む）２は、閉戸時に於いて、ユニット基体１２に組込まれたシーソー片２１を押しバネ２７のバネ力に抗して揺動させることができる機能を有すれば十分である。
【００３７】
（Ｂ）回転体１１の第１係合部１７とシーソー片２１の第１被係合部２２との関係……第１係合部１７と第１被係合部２２との関係は互いにテーパ同志で摺接するが、要は回転体１１が所定位置まで回転すると、シーソー片２１が短軸２５を支点に揺動する関係であれば良いから、第１被係合部２２が１個であっても良いし、また形状も山形である必要はない。
【００３８】
（Ｃ）シーソー片２１の第２係合部２４と係合アーム３１の第２被係合部３３の係合関係も、実施例に限定するものではなく、第２係合部２４を係合溝にし、一方、第２被係合部３３を突起としても良い。
【００３９】
【発明の効果】
以上の説明から明らかなように、本発明にあっては、次に列挙するような作用・効果がある。
（１）閉扉状態に於いて、ドアの外壁面側から錠を駆動させると、室内側に作動可能状態にある係合アームが、係止杆から自動的に離れる。したがって、解錠操作が簡単である。
（２）構成する部品点数が少ないので、組合わせが容易である。しかも、ドアの内壁面に固定される基体が、主要部材を備えたユニット基体１２なので、取り付けが非常に簡単である。
（３）係合アームの形態を普通一般に使用されているタイプ（全体として細長い門型）のものを使用することができる。すなわち、外拡基端部３２には、係止杆６の係合頭部５から抜けることができる幅広挿抜空間部３４が形成され、また外拡基端部３２に連設するＵ字型状長杆規制部３５には、前記係止杆６を案内する係合孔３６が形成されているタイプのものを使用することができる。
【図面の簡単な説明】
図１乃至図１５は本発明の一実施例を示す各説明図。
【図１】実施の形態の一例を示す平面側からの説明図。
【図２】平面側から見た内部構造を示す一部概略断面説明図。
【図３】ドアガードユニットＹを構成するユニット基体と蓋体とを分離した状態を示す説明図。なお、ユニット基体には各部材が組込まれている。
【図４】回転体の斜視図。
【図５】回転体の平面図。
【図６】図５の６−６線断面図。
【図７】シーソー片の正面図。
【図８】シーソー片の平面図。
【図９】図７の９−９線断面図。
【図１０】ユニット基体から各部材を取り除いた場合に於いて、ユニット基体の内壁面側を示す説明図。
【図１１】図１０の１１−１１線概略断面図。
【図１２】係合アームを正面から見た一部断面の説明図。
【図１３】係合アームをから平面から見た説明図。
【図１４】係合解除機構の作動状態を示す概略説明図。
【図１５】係合が解除した状態の正面からの説明図。
【符号の説明】
Ｘ…ドアガードの係合解除機構、Ｙ…ドアガードユニツト、１…ドア、２…シリンダ錠、３…戸枠、４…受け部材、５…係合頭部、６…係止杆、７…動力伝達部材、１１…回転体、１２…ユニット基体、１２ａ…内壁面側、１２ｂ…外壁面側、１３…蓋体、１４…嵌合大径部、１５…小径部、１６…嵌合孔、１７…第１係合部、２１…シーソー片、２１ａ…水平部、２１ｂ…垂直部、２２…第１被係合部、２３…バネ支持穴、２４…第２係合部、２５…短軸、２７…押しバネ、２８…バネ収納部、３１…係合アーム、３２…外拡基端部、３６…係合孔、３７…軸受け部、３８…軸孔、４０…切欠部、４１…付勢バネ、４６…回転体用嵌合部、４７…収納部、４８…小切欠部、４９…貫通孔、５０…支持部、５１…支軸、５２…中心孔。
【図１】
0004328452.tif 000002
【図２】
0004328452.tif 000003
【図３】
0004328452.tif 000004
【図４】
0004328452.tif 000005
【図５】
0004328452.tif 000006
【図６】
0004328452.tif 000007
【図７】
0004328452.tif 000008
【図８】
0004328452.tif 000009
【図９】
0004328452.tif 000010
【図１０】
0004328452.tif 000011
【図１１】
0004328452.tif 000012
【図１２】
0004328452.tif 000013
【図１３】
0004328452.tif 000014
【図１４】
0004328452.tif 000015
【図１５】
0004328452.tif 000016